(57)【要約】      （修正有）【課題】光を反射する機能を有し、しかも奇抜なデザインのホックボタンを提供する。【解決手段】雌雄部材Ｆ、Ｍから構成されるホックボタンである。雌部材Ｆは、取付生地Ｗ１の上側から取り付ける装飾ボタン１〜３と、取付生地の下側に位置する雌係合部４を有する。雄部材Ｍは、取付生地Ｗ２の上側に位置する雄係合部５〜８と、取付生地の下側から取り付ける裏座９を有する。装飾ボタンは、少なくとも２個の貫通孔を有する表層板１とその下の第１再帰性反射層２を有する。雄係合部は、係合突起とその周辺の第２再帰性反射層６を有する。【選択図】図７
2015136387.tif 000002
【特許請求の範囲】
【請求項１】
雌雄部材（Ｆ；Ｍ，Ｍ１）から構成されるホックボタンであって、
前記雌部材（Ｆ）は、取付生地（Ｗ１）の上側から取り付ける装飾ボタン（１〜３）と、前記取付生地（Ｗ１）の下側に位置する雌係合部（４）を有し、
前記雄部材（Ｍ，Ｍ１）は、取付生地（Ｗ２）の上側に位置する雄係合部（５〜８）と、前記取付生地（Ｗ２）の下側から取り付ける裏座（９，９Ａ）を有するものにおいて、
前記装飾ボタンは、少なくとも２個の貫通孔（１１）を有する表層板（１）とその下の第１再帰性反射層（２）を有し、
前記雄係合部は、係合突起（５０）とその周辺の第２再帰性反射層（６）を有することを特徴とするホックボタン。
【請求項２】
前記雌部材（Ｆ）の前記第１再帰性反射層（２）と前記雄部材（Ｍ）の第２再帰性反射層（６）は、形状が異なるものである請求項１記載のホックボタン。
【請求項３】
前記雌部材（Ｆ）は、前記第１再帰性反射層（２）を露出させる前記貫通孔（１１）を４個設けて糸通し孔に似せて形成したものである請求項１または２記載のホックボタン。
【請求項４】
前記雄部材（Ｍ１）の裏座（９Ａ）として、前記雌部材（Ｆ）の装飾ボタン（１〜３）を反転させて使用する請求項１〜３のいずれかに記載のホックボタン。
【発明の詳細な説明】
【技術分野】
【０００１】
本発明は、光を反射する機能を有するホックボタンに関する。
【背景技術】
【０００２】
光を反射する機能を有するボタンは、それ自体ファッション性があると共に、夜間歩行するとき、対向車のライトを反射するので、運転者に歩行者の存在や位置を知らせることになり、安全面でも役に立つ。
【０００３】
そのようなボタンの従来例として、例えば実用新案登録第３１８６４７０号が知られている。このボタンは、表面に凹入部を有するボタン基材において凹入部の内部に、再帰性反射層と、その表面を覆う透明な保護層を凹入部の底面からこの順に形成し、保護層の表面からボタン基材の裏面にわたって貫通する複数個の縫糸用の小孔を設けたものである。
【先行技術文献】
【特許文献】
【０００４】
【特許文献１】実用新案登録第３１８６４７０号
【発明の概要】
【発明が解決しようとする課題】
【０００５】
この従来のボタンは、１枚の円板からなるボタンであり、本発明が対象とする雌雄部材からなるホックボタンではない。また、再帰性反射層は、周辺部と縫糸用の小孔を除き、全面的に設けられているので、面白みに欠けるものであった。
【０００６】
本発明は、光を反射する機能を有し、しかも奇抜なデザインのホックボタンを提供することを目的とする。
【課題を解決するための手段】
【０００７】
本発明は、雌雄部材（Ｆ、Ｍ）から構成されるホックボタンであって、前記雌部材（Ｆ）は、取付生地（Ｗ１）の上側から取り付ける装飾ボタン（１〜３）と、前記取付生地（Ｗ１）の下側に位置する雌係合部（４）を有し、前記雄部材（Ｍ）は、取付生地（Ｗ２）の上側に位置する雄係合部（５〜８）と、前記取付生地（Ｗ２）の下側から取り付ける裏座（９）を有するものにおいて、前記装飾ボタンは、少なくとも２個の貫通孔（１１）を有する表層板（１）とその下の第１再帰性反射層（２）を有し、前記雄係合部は、係合突起（５０）とその周辺の第２再帰性反射層（６）を有することを特徴とする（請求項１）。
【０００８】
好ましくは、前記雌部材Ｆの前記第１再帰性反射層と前記雄部材Ｍの第２再帰性反射層は、形状が異なるものである（請求項２）。
【０００９】
さらに好ましくは、前記雌部材Ｆの前記第１再帰性反射層を露出させる前記貫通孔を４個設けて糸通し孔に似せて形成する（請求項３）。
【００１０】
別の実施態様では、前記雄部材の裏座として、前記雌部材の装飾ボタンを反転させて使用することもできる（請求項４）。
【発明の効果】
【００１１】
本発明請求項１および各請求項においては、雌雄部材の結合の前後を通して、雌部材は表層板の貫通孔を通して再帰性反射層が露出している。雄部材は結合前のみであるが、係合突起の周囲に再帰性反射層が露出している。
【００１２】
そのため、夜間に外部から光を受けたとき、雌部材は結合の前後を通じて、また、雄部材は結合させていないときに、光を反射して相手に自分の存在や位置を知らせる。
【００１３】
請求項２の発明によれば、雌部材の再帰性反射層と雄部材の再帰性反射層のデザインが異なるので、意外性があり、注目を集めやすい。
【００１４】
請求項３の発明によれば、雌部材の再帰性反射層はあたかも糸通しの穴が光っているように見えるので、奇抜なデザインとなる。
【００１５】
請求項４の発明によれば、部品を共通化することにより部品点数を減らすことができる。
【００１６】
以下、添付の図面に基づき、本発明の実施例を説明する。
【図面の簡単な説明】
【００１７】
【図１】実施例１のホックボタンであり、（ａ）は雌部材の斜視図、（ｂ）はその展開斜視図である。
【図２】実施例１のホックボタンであり、（ａ）は雄部材の斜視図、（ｂ）はその展開斜視図である。
【図３】生地Ｗ１の上側の雌部材を表し、（ａ）は平面図、（ｂ）は側面図、（ｃ）は底面図、（ｄ）は（ａ）の矢視図である。
【図４】生地Ｗ１の下側の雌部材を表し、（ａ）は平面図、（ｂ）は側面図、（ｃ）は底面図、（ｄ）は（ａ）の矢視図である。
【図５】生地Ｗ２の上側の雄部材を表し、（ａ）は平面図、（ｂ）は側面図、（ｃ）は底面図、（ｄ）は（ａ）の矢視図である。
【図６】生地Ｗ２の下側の雄部材を表し、（ａ）は平面図、（ｂ）は側面図、（ｃ）は底面図、（ｄ）は（ａ）の矢視図である。
【図７】実施例１のホックボタンであり、（ａ）は雌雄部材の結合前の各断面図、（ｂ）は雌雄部材の結合後の各断面図である。
【図８】実施例２のホックボタンであり、（ａ）は雌雄部材の結合前の各断面図、（ｂ）は雌雄部材の結合後の各断面図である。
【実施例１】
【００１８】
図７に示すように、ボタンは雌雄部材Ｆ、Ｍから構成され、それぞれが生地Ｗ１，Ｗ２に固着されている。
【００１９】
＜雌部材Ｆ＞
図３、４は、雌部材Ｆを示す。これらの図に示すように、雌部材は、生地Ｗ１の上側に、表層板１、再帰性反射層２、側壁付き支持板３からなる装飾ボタンを有し、生地の下側に雌係合部４を有する。
【００２０】
表層板１は、複数個（図面では４個）の貫通孔１１を有すると共に下方に向かって伸びる脚部１２を有する円板１０である。表層板１の表面は、文字や図形等で装飾を行うことができる。表層板１の裏面には、図３（ｄ）に示すように、重量を軽くするための浅い窪み１４が設けられている。
【００２１】
表層板１の下には、中央に貫通孔２１を有する再帰性反射層２の円板２０が設けられる。再帰性反射層２としては、それ自体公知の、埋設レンズ型（封入レンズ型）、カプセル化ビーズレンズ型、プリズムレンズ型等が使用できる。
【００２２】
側壁付き支持板３は上部が開口した容器３０であり、中央に貫通孔３１、縁部に側壁３２を有する。図３に示すように、側壁付き支持板３はその容器３０の中に表層板１、再帰性反射層２を収容する。
【００２３】
雌係合部４は中央に係合用窪み４１を有し、その係合用窪み４１の中央に貫通孔４２が設けられている。雌係合部４の上側には、摩擦力を高めるための小突起４３が複数個設けられ、下側には、係合力を高めるための弾力突起４４が設けられている。
【００２４】
以上の部品は図７に示すように組み合わされる。すなわち、表層板１と再帰性反射層２が側壁付き支持板３の中に収容される。表層板１の脚部１２が、再帰性反射層２の貫通孔２１、側壁付き支持板３の貫通孔３１及び雌部材４の貫通孔４２を貫通し、生地Ｗ１を介して雌部材４の窪み４１に対してプレス加工により頭部１３が形成されて固定される。このとき、再帰性反射層２は、表層板１の貫通孔１１から露出している。この貫通孔１１は、一見するとボタンの糸通し孔のように見えるが、再帰性反射層２が途中でふさいでいるので糸を通す機能は有しないし、そもそもこのホックボタンには糸は使用されていない。
【００２５】
＜雄部材Ｍ＞
一方、図５，６は、雄部材Ｍを示す。図７に示すように、雄部材Ｍは、生地Ｗ２の上側に、雄係合部５、再帰性反射層６、補強部７、枠部８からなる雄係合部を有し、生地の下側に裏座９を有する。
【００２６】
雄係合部５は中央に窪み５１を有する突起５０であり、係合時に中央窪み５１が圧縮と復元をするためにバネ作用を有する。窪み５１の中央部には貫通孔５２が設けられている。
【００２７】
雄係合部５の直下には円板状の補強部７が設けられている。補強部７の中央には貫通孔７１が設けられている。
【００２８】
枠部８は、補強部７の側部をリング状に覆うと共に、上端８１が内方へ折り曲げられて、雄係合部５を固定している。
【００２９】
この枠部上端８１と補強部７の間にリング状の再帰性反射層６の縁部が挟まれて固定されている。さらに、再帰性反射層６は、雄部材の係合突起の最大外径よりも小さく、最小外径とほぼ同径である。これによって再帰性反射層６の脱落のリスクが大幅に回避される。再帰性反射層６は平面から見ればリング状に視認可能である。
【００３０】
裏座９は、中央に円筒状の突起９１を有する金属円板９０である。
【００３１】
以上の部品は図７に示すように組み合わされる。すなわち、裏座９の突起９１が補強部７の貫通孔７１及び雄係合部５の貫通孔５２を貫通してかしめられ、その頭部が変形して雄係合部５に対して固着される。
【００３２】
＜ホックボタンの使用法＞
雌雄部材Ｆ、Ｍからなるホックボタンは、通常のホックボタンと同様に使用できる。図７（ａ）は結合前であり、図７（ｂ）は結合状態である。
【００３３】
本発明において特徴的なのは、結合の前後を通して、雌部材Ｆは表層板１の貫通孔１１を通して再帰性反射層２が露出していること、雄部材Ｍは結合前のみではあるが係合突起５０の周囲に再帰性反射層６が露出していることである。
【００３４】
そのため、夜間に外部から光を受けたとき、雌部材Ｆの再帰性反射層２はあたかも糸通しの穴が光っているように見え、奇抜なデザインとなる。また、雌雄部材Ｆ、Ｍを結合させていないときは、雄部材Ｍもリング状に光っているように見える。雌雄部材Ｆ、Ｍの再帰性反射層２、６のデザインが異なっていることも見る人の注目を集めやすい。
【実施例２】
【００３５】
実施例２が実施例１と異なるのは、実施例２の雄部材Ｍ１の裏座９Ａ（１Ａ〜３Ａ）として、実施例１の雌部材Ｆの装飾ボタン１〜３を反転させて使用していることである。そうすることにより、この実施例では使用部品点数を少なくすることができる。
【００３６】
なお、図８では作図上の都合により、雌部材Ｆの装飾ボタンの脚部１２の高さと雄部材Ｍ１の裏座９の突起１２Ａとで異なっているが、実際に製作するときには同じ高さになるように各部品を調整し、完全に同一部品となるようにするのが好ましい。
【符号の説明】
【００３７】
１   表層板
１０   円板
１１   貫通孔
１２   脚部
１３   頭部
２     再帰性反射層
２０   円板
２１   貫通孔
３     側壁付き支持板
３０   容器
３１   貫通孔
３２   側壁
４     雌係合部
４２   貫通孔
４３   小突起
４４   弾力突起
５     雄係合部
５０   係合突起
５２   貫通孔
６     再帰性反射層
７     補強部
７１   貫通孔
８     枠部
８１   枠部上端
９     裏座
９０   円板
９１   突起
Ｆ     雌雄部材
Ｍ     雄部材
Ｗ１   生地
Ｗ２   生地
【図１】
2015136387.tif 000003
【図２】
2015136387.tif 000004
【図３】
2015136387.tif 000005
【図４】
2015136387.tif 000006
【図５】
2015136387.tif 000007
【図６】
2015136387.tif 000008
【図７】
2015136387.tif 000009
【図８】
2015136387.tif 000010